(57)【特許請求の範囲】
【請求項１】
基地局がユーザ機器（ＵＥ）のＣＥ（Ｃｏｖｅｒａｇｅ  Ｅｎｈａｎｃｅｍｅｎｔ）設定を制御するシステムで用いる方法であって、
前記ＵＥ装置にサービスを提供する前記基地局から前記ＵＥ装置が、無線リンク品質の改善に関するイベントの検出を前記ＵＥ装置に実行させるためのＲＬＭ（Ｒａｄｉｏ  Ｌｉｎｋ  Ｍｏｎｉｔｏｒｉｎｇ）設定を受信することと、
前記ＲＬＭ設定を受信した後に、前記ＵＥ装置のレイヤ３が、当該レイヤ３よりも下位のレイヤである前記ＵＥ装置の物理レイヤから、第１の所定数の連続した第１のインディケーションを受信した場合に、前記ＵＥ装置がタイマを開始することと、
前記タイマが満了した場合に、前記ＵＥ装置が前記イベントを検出し、前記ＵＥ装置が前記イベントに関する情報を前記基地局に送信することと、を含み、
前記第１のインディケーションは、前記ＵＥ装置で受信される信号の品質測定値が、前記ＣＥ設定に対応する第１の閾値よりも大きい場合に、前記物理レイヤから前記レイヤ３に送信される、方法。
【請求項２】
前記第１の所定数と前記タイマとは、前記基地局から前記ＵＥ装置に設定される、請求項１に記載の方法。
【請求項３】
請求項１又は請求項２に記載の方法を実行するユーザ機器（ＵＥ）装置。
【請求項４】
請求項１又は請求項２に記載の方法を実行するプロセッサ。
【発明の詳細な説明】
【優先権の主張】
【０００１】
本出願は、２０１７年５月１５日に出願された、発明の名称が「ＭＥＴＨＯＤ  ＯＦ  ＲＡＤＩＯ  ＬＩＮＫ  ＭＯＮＩＴＯＲＩＮＧ  ＦＯＲ  ＭＴＣ  ＷＩＴＨ  ＣＯＶＥＲＡＧＥ  ＥＮＨＡＮＣＥＭＥＮＴ」であって、仮出願番号第６２／５０６，４７０号及び２０１８年３月２３日に出願された、発明の名称が「ＭＥＴＨＯＤ  ＯＦ  ＲＡＤＩＯ  ＬＩＮＫ  ＭＯＮＩＴＯＲＩＮＧ  ＦＯＲ  ＭＴＣ  ＷＩＴＨ  ＣＯＶＥＲＡＧＥ  ＥＮＨＡＮＣＥＭＥＮＴ」であって、仮出願番号第６２／６４７，２４８号に対する優先権を主張し、それ全てが本出願の譲受人に譲渡されており、それの全体が参照により本明細書に明示的に援用されている。
【技術分野】
【０００２】
本発明は、一般に、無線通信に関し、より具体的には、ユーザ機器装置のためのカバレッジ設定の適応に関する。
【背景技術】
【０００３】
３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）のようなモバイル無線システムにおいて、ユーザ機器（ＵＥ）装置で受信された信号品質がある程度以上低下すると、ＵＥ装置はネットワークとの同期を維持することができなくなりＵＥ装置はネットワークとの接続を失うであろう。ＵＥ装置は通常、信号品質の低下を丁寧に管理し、制御された方法でネットワークとの接続を再確立するために、無線信号の品質を継続的に監視する。ＵＥ装置が確立された監視基準を使用してＲＬＦ（Ｒａｄｉｏ  Ｌｉｎｋ  Ｆａｉｌｕｒｅ）を検出した場合、運用への影響を軽減されるようにネットワークに再接続するための別の動作中の基地局を選択するために、確立された手順を実行する。
【発明の概要】
【０００４】
ユーザ機器（ＵＥ）装置は、第１のＣＥレベルを提供する第１のＣＥ（Ｃｏｖｅｒａｇｅ  Ｅｎｈａｎｃｅｍｅｎｔ）設定でＲＬＭ（Ｒａｄｉｏ  Ｌｉｎｋ  Ｍｏｎｉｔｏｒｉｎｇ）を実行する。前記第１のＣＥ設定に関連付けられる第１のＲＬＭ設定は、無線リンク信号の品質状態を改善することに関連付けられる第１の無線信号レベル閾値（例えば、無線リンク品質改善閾値）を含む。前記第１の無線信号レベル閾値は、第２の距離よりも基地局に近い前記基地局からの第３の距離に対応する。前記第２の距離は、前記第１のＲＬＭ設定に関連付けられる同期無線信号品質閾値に関連付けられる。前記第１のＲＬＭ設定はまた、無線信号の品質状態を改善することの交渉に関連付けられる第１の無線信号レベル閾値（例えば、無線信号品質改善解除閾値）を有する。前記第１の無線信号レベル閾値は、前記第３の距離よりも前記基地局から遠く、前記第１の距離よりも前記基地局に近くに位置する、前記基地局からの第４の距離に対応する。無線リンク品質改善解除イベントが発生する前に無線リンク品質改善イベントが発生した場合、前記基地局は第２のＣＥ設定及び第２のＲＬＭ設定で前記ＵＥ装置に再設定する。前記第２のＣＥ設定は、前記第１のＣＥレベルよりも低い第２のＣＥレベルを有する。
【図面の簡単な説明】
【０００５】
【図１】図１は、カバレッジ拡張を伴うＭＴＣ（Ｍａｃｈｉｎｅ  Ｔｙｐｅ  Ｃｏｍｍｕｎｉｃａｔｉｏｎ）の無線リンク監視を実行する通信システムの一例のブロック図である。
【０００６】
【図２Ａ】図２Ａは、図１に示される基地局の一例のブロック図である。
【０００７】
【図２Ｂ】図２Ｂは、図１に示されるＵＥ装置の一例のブロック図である。
【０００８】
【図３】図３は、ＵＥ装置のカバレッジ拡張設定を再設定するための方法の一例のフローチャートである。
【発明を実施するための形態】
【０００９】
３ＧＰＰ技術仕様における無線リンク監視手順に従って、ＵＥ装置の物理レイヤは、全ての無線フレームが、前の期間にわたって評価された無線リンク品質を評価するものとする。ＵＥ装置は、ＰＣｅｌｌ（Ｐｒｉｍａｒｙ  Ｃｅｌｌ）の下りリンクの無線リンク品質を監視の目的のために、下りリンクの無線リンク品質を推定し、推定した下りリンクの無線リンク品質を閾値Ｑｏｕｔ及びＱｉｎと比較するものとする。閾値Ｑｏｕｔは、下りリンクの無線リンクを確実に受信できないレベルとして定義され、基地局によって設定される送信パラメータを伴うＰＣＦＩＣＨ（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ）エラーを考慮する場合、仮想のＰＤＣＣＨ（Ｐｈｙｓｉｃａｌ  Ｄｏｗｎｌｉｎｋ  Ｃｏｎｔｒｏｌ  Ｃｈａｎｎｅｌ）送信の１０％ブロック誤り率に対応するものとする。閾値Ｑｉｎは、下りリンクの無線リンク品質がＱｏｕｔよりも大幅に確実に受信できるレベルとして定義され、基地局によって設定される送信パラメータを伴うＰＣＦＩＣＨエラーを考慮する場合、仮想のＰＤＣＣＨ送信の２％ブロック誤り率に対応するものとする。
【００１０】
直近の２００ｍｓの期間にわたって推定されたＰＣｅｌｌ又はＰＳＣｅｌｌ（Ｐｒｉｍａｒｙ  Ｓｅｃｏｎｄａｒｙ  Ｃｅｌｌ）の下りリンクの無線リンク品質が閾値Ｑｏｕｔよりも悪化した場合、レイヤ１（例えば、ＵＥ装置のＯＳＩ（Ｏｐｅｎ  Ｓｙｓｔｅｍｓ  Ｉｎｔｅｒｃｏｎｎｅｃｔｉｏｎ）モデルによる物理レイヤ）は、Ｑｏｕｔ評価の２００ｍｓの内に、ＰＣｅｌｌ又はＰＳＣｅｌｌのための非同期インディケーションを上位レイヤに送ることになる。レイヤ３フィルタ（例えば、ＯＳＩモデルによるネットワークレイヤ）は、ＵＥ装置が同期していないと申告される前に、非同期インディケーションに適用されることになる。非同期の場合のレイヤ３のフィルタリングは、非同期インジケータのカウンタとタイマとを設定する。基地局は、設定中にこれらのパラメータ値（例えば、カウンタ及びタイマのための）値を提供する。非同期の評価のためのＬＴＥ仕様におけるこのようなカウンタの１つはＮ３１０であり、当該カウンタと関連するタイマはＴ３１０である。
【００１１】
直近の１００ｍｓの期間にわたって推定されたＰＣｅｌｌ又はＰＳＣｅｌｌ（Ｐｒｉｍａｒｙ  Ｓｅｃｏｎｄａｒｙ  Ｃｅｌｌ）の下りリンクの無線リンク品質が閾値Ｑｉｎよりも良くなった場合、ＵＥ装置のレイヤ１は、Ｑｉｎ評価の１００ｍｓの内に、ＰＣｅｌｌ又はＰＳＣｅｌｌのための同期インディケーションを上位レイヤに送信することになる。レイヤ３のフィルタは、ＵＥ装置が同期していると申告される前に、同期インディケーションに適用されることになる。同期の場合のレイヤ３のフィルタリングは、同期インジケータのカウンタを設定する。基地局は、設定中にこのパラメータ値（例えば、カウンタのための）値を提供する。ＬＴＥ仕様におけるこのようなカウンタの一例は、Ｎ３１１である。
【００１２】
動作中、基地局は、カウンタやタイマの値、及び無線リンク品質と無線信号品質閾値とを評価するために使用される仮想のＰＤＣＣＨ送信の設定などで、ＵＥ装置を設定する。より具体的には、基地局は、本明細書で説明する無線リンク監視設定を設定するために、必要なパラメータ値をＵＥ装置に送信する。１０ｍｓのフレーム時間ごとに、ＵＥ装置は前の評価時間で無線リンク品質を評価する。この例では、非同期状態の評価時間は２００ｍｓであり、同期状態の評価時間は１００ｍｓである。
【００１３】
推定される無線リンクレベルがＱｉｎを上回る場合、同期インディケーションがレイヤ３に送信される。推定される無線リンクレベルがＱｏｕｔを下回る場合、非同期インディケーションがレイヤ３に送信される。連続した非同期インディケーションの数がＮ３１０の設定値に等しい場合、ＵＥ装置はタイマＴ３１０を開始する。連続した同期インディケーションの数がＮ３１１の設定値に等しい場合、タイマＴ３１０がリセットされる。Ｎ３１１の同期インディケーションを受信する前にタイマＴ３１０が満了する場合、無線リンク障害が申告され、ＵＥ装置は接続回復手順を実行する。
【００１４】
ＬＴＥ  ＭＴＣ  ＭＴＣ（Ｍａｃｈｉｎｅ  Ｔｙｐｅ  Ｃｏｍｍｕｎｉｃａｔｉｏｎ）の特徴の１つの側面は、ＣＥ（Ｃｏｖｅｒａｇｅ  Ｅｎｈａｎｃｅｍｅｎｔ）である。ＣＥは、ＵＥ装置が基地局から長距離にわたって信号を送受信することを許可する。カバレッジが拡張される程度は、ＭＴＣ  ＰＤＣＣＨの反復レベル、集約レベル、及びＣＥモードなどの関連する設定パラメータ値をＵＥ装置に提供することにより、基地局によって設定される。ＣＥ機能は、ＭＴＣを拡張する機会を提供し、それをサポートするためにＲＬＭが拡張される。
【００１５】
そのような拡張機能の１つは、無線リンクレベルが一貫して高い場合にＣＥレベルを変更することである。ＵＥ装置が基地局の送信部から遠くに移動しない場合、ＵＥ装置は大きなＣＥレベルを必要とせず、ＵＥ装置が一貫して高い無線リンクレベルを測定している場合、過度にプロビジョニングされる可能性がある。これはリソースの浪費であり、ＵＥ装置のＣＥ設定を変更することが望ましいだろう。ＣＥの再設定を基地局に要求することをＵＥ装置にトリガするために、閾値が必要とされる。本明細書で説明する例は、ＵＥ装置の測定された無線リンクレベルに基づいて、ＵＥ装置のＣＥ設定を設定及び再設定する。
【００１６】
図１は、カバレッジ拡張を伴うＭＴＣ（Ｍａｃｈｉｎｅ  Ｔｙｐｅ  Ｃｏｍｍｕｎｉｃａｔｉｏｎ）の無線リンク監視を実行する通信システムの一例のブロック図である。通信システム１００は、ＵＥ装置に様々な無線サービスを提供する無線アクセスネットワーク（図示せず）の一部である。そのＵＥ装置は、その無線アクセスネットワークの一部である様々な基地局のそれぞれのサービスエリア内に位置する。
【００１７】
明瞭さと簡潔さのために、通信システム１００は、ただ１つの基地局１０２を有するものとして示されている。しかし、他の例において、通信システム１００は、任意の適切な数の基地局を有し得る。図１の例において、基地局１０２のサービスエリア（セル）の少なくとも一部は、最外閾値距離１０８によって示されるエリアを少なくとも覆う。基地局１０２のサービスエリアが単一円で表されていても、通常の通信システム１００は複数のセルを有し、各々は様々な形の地理的サービスエリアを有し、そのいくつかは一部又は全体が他のセルに重複していてもよい。
【００１８】
基地局１０２は、ｅＮｏｄｅＢ又はｅＮＢと呼ばれることがある。基地局１０２は、無線ユーザ機器（ＵＥ）装置１０６に接続される場合に、下りリンク信号を送信することによってＵＥ装置１０６と通信する。基地局１０２は、ＵＥ装置１０６に接続される場合に、ＵＥ装置１０６から送信される上りリンク信号を受信する。ＵＥ装置１０６は、例えば携帯電話、トランシーバモデム、ＰＤＡ（ｐｅｒｓｏｎａｌ  ｄｉｇｉｔａｌ  ａｓｓｉｓｔａｎｔ）、タブレット、又はスマートフォンなどの、任意の無線通信装置である。
【００１９】
基地局１０２は、既知の技術に従って、バックホール（図示せず）を通じてネットワークに接続されている。図２Ａに示すように、基地局１０２は、制御部２０４、送信部２０６、及び受信部２０８、並びにその他の電子回路、ハードウェア、及びコードを含む。他の例では、基地局１０２は、図２Ａに示される基地局１０２とは異なる回路及び／又は設定を有していてもよい。
【００２０】
基地局１０２は、本明細書において説明される機能を実行する、任意の固定式、移動式、又は携帯用の機器である。基地局１０２を参照して説明されるブロックの種々の機能及び動作は、任意の数の装置、回路、又は要素で実装されてよい。２つ又はそれ以上の機能ブロックは、単一の装置に統合されてよく、いかなる単一の装置で実行されるものとして説明される機能も、いくつかの装置上で実装されてよい。
【００２１】
図２Ａに示す例については、基地局１０２は、システム配備時に特定の場所に設置された、固定式の装置又は装置であってよい。そのような機器の例として、固定式の基地局又は固定式の送受信局が挙げられる。いくつかの状況において、基地局１０２は、特定の場所に一時的に設置されている、移動式の機器であってよい。そのような機器のいくつかの例として、発電機、ソーラーパネル、及び／又はバッテリーなどの発電機器を含んでよい、移動式の送受信局が挙げられる。このような機器のより大きく、より重い種類は、トレーラーによって輸送されてよい。更にその他の状況において、基地局１０２は、いかなる特定の場所にも固定されていない、携帯用の装置であってよい。
【００２２】
制御部２０４は、本明細書において説明される機能を実行するとともに、基地局１０２の全体的な機能性を助けるための、ハードウェア、ソフトウェア、及び／又はファームウェアの任意の組み合わせを含む。適切な制御部２０４の例として、メモリに接続された、マイクロプロセッサ装置又はプロセッサ装置上で実行されているコードが挙げられる。送信部２０６は、無線信号を送信するように構成されている電子回路を含む。いくつかの状況において、送信部２０６は、複数の送信部を含んでよい。受信部２０８は、無線信号を受信するように構成されている電子回路を含む。いくつかの状況において、受信部２０８は、複数の受信部を含んでよい。受信部２０８及び送信部２０６は、それぞれアンテナ２１０を通じて信号を受信及び送信する。アンテナ２１０は、別個の送信アンテナ及び受信アンテナを含んでよい。いくつかの状況において、アンテナ２１０は、複数の送信アンテナ及び受信アンテナを含んでよい。
【００２３】
図２Ａの例における送信部２０６及び受信部２０８は、変調及び復調を含む、無線周波（ＲＦ）処理を行う。そのため、受信部２０８は、低雑音増幅器（ＬＮＡ）及びフィルタなどの構成要素を含んでよい。送信部２０６は、フィルタ及び増幅器を含んでよい。その他の構成要素として、アイソレータ、整合回路、及び他のＲＦ構成要素が含まれてよい。これらの構成要素は、他の構成要素との組み合わせで、又は他の構成要素と連携して、基地局機能を実行する。必要な構成要素は、基地局に必要な特定の機能性によって決まってよい。
【００２４】
送信部２０６は、変調器（図示せず）を含み、受信部２０８は、復調器（図示せず）を含む。変調器は、下り信号の一部として送信される信号を変調し、複数種類の変調次数のうち任意の１つを適用することができる。復調器は、基地局１０２で受信されるいずれの上りリンク信号も、複数種類の変調次数のうち１つに従って、復調する。
【００２５】
図１に戻ると、通信システム１００は、基地局１０２を介してＵＥ装置１０６に種々の無線サービスを提供する。本明細書における例については、通信システム１００は、３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）通信仕様の、少なくとも１つの改訂に従って動作する。ＵＥ装置１０６は、基地局によってサービスを提供される。従って、ＵＥ１０６は、図２Ｂに示されるように、アンテナ２１２及び受信部２１４を介して、下り信号を受信する。アンテナ２１２及び受信部２１４の他に、ＵＥ装置１０６は、制御部２１６及び送信部２１８、並びにその他の電子回路、ハードウェア、及びコードを更に含む。ＵＥ装置１０６は、本明細書において説明される機能を実行する、任意の固定式、移動式、又は携帯用の機器である。ＵＥ装置１０６を参照して説明されるブロックの種々の機能及び動作は、任意の数の装置、回路、又は要素で実装されてよい。２つ又はそれ以上の機能ブロックは、単一の装置に統合されてよく、いかなる単一の装置で実行されるものとして説明される機能も、いくつかの装置上で実装されてよい。
【００２６】
制御部２１６は、本明細書において説明される機能を実行するとともに、ＵＥ装置の全体的な機能性を助けるための、ハードウェア、ソフトウェア、及び／又はファームウェアの任意の組み合わせを含む。適切な制御部２１６の例として、メモリに接続された、マイクロプロセッサ装置又はプロセッサ装置上で実行されているコードが挙げられる。送信部２１８は、無線信号を送信するように構成されている電子回路を含む。いくつかの状況において、送信部２１８は、複数の送信部を含んでよい。受信部２１４は、無線信号を受信するように構成されている電子回路を含む。いくつかの状況において、受信部２１４は、複数の受信部を含んでよい。受信部２１４及び送信部２１８は、それぞれアンテナ２１２を通じて信号を受信及び送信する。アンテナ２１２は、別個の送信アンテナ及び受信アンテナを含んでよい。いくつかの状況において、アンテナ２１２は、複数の送信アンテナ及び受信アンテナを含んでよい。
【００２７】
図２Ｂの例における送信部２１８及び受信部２１４は、変調及び復調を含む、無線周波（ＲＦ）処理を行う。そのため、受信部２１４は、低雑音増幅器（ｌｏｗ  ｎｏｉｓｅ  ａｍｐｌｉｆｉｅｒｓ、ＬＮＡｓ）及びフィルタなどの構成要素を含んでよい。送信部２１８は、フィルタ及び増幅器を含んでよい。その他の構成要素として、アイソレータ、整合回路、及び他のＲＦ構成要素が含まれてよい。これらの構成要素は、他の構成要素との組み合わせで、又は他の構成要素と連携して、ＵＥ装置機能を実行する。必要な構成要素は、ＵＥ装置に必要な特定の機能性によって決まってよい。
【００２８】
送信部２１８は、変調器（図示せず）を含み、受信部２１４は、復調器（図示せず）を含む。変調器は、複数種類の変調次数のうち任意の１つを適用して、ＵＥ装置１０６によって送信される任意の上りリンク信号を変調することができる。復調器は、複数種類の変調次数のうち１つに従って、任意の受信された下りリンク信号を復調する。
【００２９】
動作中、基地局１０２は、第１のＲＬＭ構成でＲＬＭ（Ｒａｄｉｏ  Ｌｉｎｋ  Ｍｏｎｉｔｏｒｉｎｇ）を実行するようにＵＥ装置１０６に設定する。第１のＲＬＭ設定は、基地局１０２からの第１の距離１０８に対応する第１の非同期無線リンク品質閾値（例えば、上記でＱｏｕｔと呼ばれる）を有する。また、第１のＲＬＭ設定は、第１の距離１０８よりも基地局１０２に近い第２の距離１１０に対応する第１の同期無線リンク品質閾値（例えば、上記でＱｉｎと呼ばれる）を有する。図１に示す例では、第１の同期無線リンク品質閾値は、基地局から第２の距離１１０における２％  ＢＬＥＲ（Ｂｌｏｃｋ  Ｅｒｒｏｒ  Ｒａｔｅ）に対応し、第１の非同期無線リンク品質閾値は、基地局１０２からの第１の距離１０８における１０％  ＢＬＥＲに対応する。他の例では、他の任意の適切な値が、第１の同期無線リンク品質閾値及び第１の非同期無線リンク品質閾値に使用されてもよい。
【００３０】
基地局１０２はさらに、第１のＣＥ（Ｃｏｖｅｒａｇｅ  Ｅｎｈａｎｃｅｍｅｎｔ）レベルに対応する第１のＣＥ設定のための追加のＲＬＭパラメータでＵＥ装置１０６を設定する。第１のＣＥ設定は、関連付けられる第１の無線リンク品質改善閾値（例えば、Ｑｉｎ＋）を有する。第１の無線リンク品質改善閾値は、第２の距離１１０よりも基地局に近い、基地局からの第３の距離１１２に対応する。第１のＣＥ設定はまた、関連付けられる第１の無線リンク品質改善解除閾値（例えば、Ｑｏｕｔ−ｉｎ＋）を有する。第１の無線リンク品質改善解除閾値は、基地局１０２からの第４の距離１１４に対応する。第４の距離１１４は、第３の距離１１２よりも基地局１０２から遠く、第１の距離１０８よりも基地局１０２に近くに位置する。
【００３１】
図１に示すように、第１のＣＥ設定が利用され、ＵＥ装置１０６が第１の距離１０８と第２の距離１１０との間の位置から、基地局１０２に十分近い位置に移動する場合、ＵＥ装置１０６は、基地局１０２との確かな通信に必要なものよりも多くの無線リソースがＵＥ装置１０６に割り当てられるように、過度にプロビジョニングされる可能性がある。割り当てられる無線リソースの量は、反復レベル、集約レベル、ＣＥモードを含むＣＥ設定の影響を受ける。新たな閾値は、ＵＥ装置１０６が適切にプロビジョニングされるように使用されるリソースの量を減らすために、ＵＥ装置１０６が第１のＣＥ設定の代わりに第２のＣＥ設定を使用するように再設定を要求すべきかどうかを判定するために、ＲＬＭ手順に追加される。新たな閾値は、第１の無線リンク品質改善閾値（例えば、Ｑｉｎ＋）と呼ばれる。第１の無線リンク品質改善閾値は、第１のＣＥ（Ｃｏｖｅｒａｇｅ  Ｅｎｈａｎｃｅｍｅｎｔ）レベルに対応する第１のＣＥ設定に関連付けられる。いくつかの場合では、第１の無線リンク品質改善閾値は、第２のＣＥ設定に関連付けられる同期閾値を表してもよい。
【００３２】
追加の閾値は、第２のＣＥレベルがＵＥ装置１０６に最低品質の無線信号を一貫して提供できず、そのため保留中のＣＥ再設定要求を解除する必要があるような、ＵＥ装置１０６が基地局１０２から十分に離れたところに移動しているかどうか判定するのを助けるために、ＲＬＭ手順に追加される。この追加の閾値は、第１の無線リンク品質改善解除閾値（例えば、Ｑｏｕｔ−ｉｎ＋）と呼ばれる。第１の無線リンク品質改善解除閾値は、第１のＣＥ構成に関連付けられる。第１の無線リンク品質改善解除閾値はまた、第２のＣＥ設定に関連付けられる非同期閾値を表してもよい。いくつかの場合では、第１の無線リンク品質改善閾値と第１の無線リンク品質改善解除閾値は、第１の同期及び第１の非同期閾値と同様の方法で決定される。図１に示す例では、第１のＣＥ設定に関連付けられる第１の無線リンク品質改善閾値は、第２のＣＥ設定に関連付けられる２％  ＢＬＥＲの同期閾値であってもよい。また、第１のＣＥ設定に関連付けられる第１無線リンク品質改善解除閾値は、第２のＣＥ設定に関連付けられる１０％  ＢＬＥＲの非同期閾値であってもよい。
【００３３】
いくつかの場合では、基地局１０２は、第１の同期無線リンク品質閾値及び第１の非同期無線リンク品質閾値と同じ方法で第１の無線リンク品質改善閾値を決定するための（例えば、カウンタ、タイマ、及び仮想のＰＤＣＣＨ送信の設定のための）第１のパラメータ値セットを提供する。また、基地局１０２は、第１の同期無線リンク品質閾値及び第１の非同期無線リンク品質閾値と同じ方法で第１の無線リンク品質改善解除閾値を決定するための第２のパラメータ値セットを提供する。他の場合では、基地局１０２は、第１の無線リンク品質改善閾値を決定するための第１のパラメータ値セットを提供し、ＵＥ装置１０６は、決定された第１の無線リンク品質改善閾値に基づいて第１の無線リンク品質改善解除閾値を決定する。
【００３４】
さらに他の場合、第１の無線リンク品質改善閾値は、第１の同期無線リンク品質閾値に関連するＢＬＥＲ値又は無線リンクレベルのように、第１の同期無線リンク品質閾値に関連して設定されてもよい。例えば、ＵＥ装置１０６は、第１の同期無線リンク品質閾値に関連する第１のオフセットに基づいて、第１の無線リンク品質改善閾値を決定してもよい。 同様に、ＵＥ装置１０６は、第１の非同期無線リンク品質閾値に対する第２のオフセットに基づいて、第１の無線リンク品質改善解除閾値を決定してもよい。これらの場合、第１のオフセット及び第２のオフセットは、ＢＬＥＲ（Ｂｌｏｃｋ  Ｅｒｒｏｒ  Ｒａｔｅ）値及び／又は無線リンクレベルに基づいてもよい。
【００３５】
いくつかの場合では、基地局１０２は、無線リンク品質改善イベントが発生したと判定された場合に、第２のＣＥ設定でＵＥ装置１０６を再設定するようにＵＥ装置１０６によって要求される。例えば、無線リンク品質改善イベントは、1つ以上の無線リンク品質改善イベントが発生した場合にＵＥ装置１０６によって申告されてもよい。無線リンク品質改善イベントは、ＵＥ装置１０６で受信される信号の品質測定値が第１の無線リンク品質改善閾値よりも大きい場合に発生する。いくつかの場合では、無線リンク品質改善解除イベントが発生したと判定された場合、ＵＥ装置１０６は、ＵＥ装置１０６を第２のＣＥ設定で再設定するための保留中の基地局への要求を解除する。例えば、無線リンクの品質改善解除イベントは、1つ以上の無線リンク品質改善解除イベントが発生した場合に、ＵＥ装置１０６によって申告されてもよい。無線リンク品質改善解除イベントは、ＵＥ装置１０６で受信される信号の品質測定値が第１の無線リンク品質改善解除閾値よりも小さい場合に発生する。いくつかの場合では、ＵＥ装置１０６は、無線リンク品質改善イベントのレイヤ３のフィルタリングの後に、無線リンク品質改善イベントが発生したことを申告してもよい。上述のように、レイヤ３のフィルタリングは、ＵＥ装置１０６が非同期であるという判定と類似の方法で、無線リンク品質改善イベントが発生したかどうかを判定するために、イベントのカウンタ及びタイマを利用してもよい。いくつかの場合では、ＵＥ装置１０６は、無線リンク品質改善解除イベントのレイヤ３のフィルタリングの後に無線リンク品質改善解除イベントが発生したと判定してもよい。この場合、レイヤ３のフィルタリングは、ＵＥが同期であるという判定と類似の方法で、無線リンク品質改善解除イベントが発生したかどうかを判定するために、イベントのカウンタを利用してもよい。
【００３６】
測定された信号が、ＵＥ装置１０６が第１のＣＥ設定よりも低いレベルのＣＥ設定を必要とすることを示す場合、基地局１０２は、第２のＣＥ設定でＵＥ装置１０６を再設定し、第１のＣＥ設定に関連付けられる第１のＣＥレベルよりも低い第２のＣＥレベルを有する第２のＣＥ設定に関連付けられるＲＬＭを実行する。第１の無線リンク品質改善閾値及び第１の無線リンク品質改善解除閾値を有する第１のＣＥ設定に関連する上記の議論と同様に、第２のＣＥ設定は、関連付けられる第２の無線リンク品質改善閾値及び関連付けられる第２の無線リンク品質改善解除閾値を有するだろう。これらの少なくとも１つは、それぞれ第１の無線リンク品質改善閾値及び第１の無線リンク品質改善解除閾値とは異なるだろう。
【００３７】
さらに他の例では、基地局１０２との信頼できる通信に必要な無線リソースよりも少ない無線リソースがＵＥ装置１０６に割り当てられるような、ＵＥ装置１０６のプロビジョニングが不十分な場合において、無線リンク品質改善解除イベントと同じ閾値を使用して無線リンク品質劣化イベントが発生したと判定された場合、基地局１０２はＵＥ装置１０６によって第３のＣＥ設定でＵＥ装置１０６を再設定することをトリガされる。この場合、レイヤ３のシグナリングパラメータはカウンタ及びタイマを含み、無線リンク品質劣化解除イベントが発生した場合、保留中の無線リンク品質劣化イベントが解除される。無線リンク品質劣化解除イベントは、無線リンク品質改善イベントと同じ閾値を使用して判定され、レイヤ３のフィルタリングパラメータはカウンタを含んでもよい。
【００３８】
さらに別の例では、測定された信号が、ＵＥ装置１０６が第1のＣＥ設定よりも高いレベルのＣＥ設定を必要とすることを示す場合、基地局１０２は第３のＣＥ設定でＵＥ装置１０６を再設定し、第１のＣＥレベルよりも高い第３のＣＥレベルを有する第３のＣＥ設定に関連付けられるＲＬＭを実行する。第１の無線リンク品質改善閾値および第１の無線リンク品質改善解除閾値を有する第１のＣＥ設定に関連する上記の議論と同様に、第３のＣＥ設定は、関連する第３の無線リンク品質改善閾値及び関連する第３の無線リンク品質改善解除閾値を有するだろう。これらの少なくとも１つは、それぞれ第１の無線リンク品質改善閾値及び第１の無線リンク品質改善解除閾値とは異なるだろう。
【００３９】
さらに、明示的に示されていないが、ＵＥ装置１０６は、基地局１０２がＵＥ装置１０６を再設定するかどうかを判定できるように、無線リンク品質改善イベントに関する情報を基地局１０２に送信する。さらに、前述の説明では、測定された信号をＵＥ装置１０６の再設定をトリガするものとして説明しているが、他の場合、ＵＥ装置１０６はＣＥ再設定のための要求を基地局１０２に送信してもよい。
【００４０】
図３は、ＵＥ装置のカバレッジ拡張設定を再設定するための方法の一例のフローチャートである。方法３００のステップは、本明細書で説明され、図３の例に示されるのとは異なる順序で実行されてもよい。さらに、いくつかの例では、ステップの１つまたは複数を省略してもよい。さらに、他の例では、1つまたは複数の追加のステップが追加されてもよい。
【００４１】
方法３００は、ＵＥ装置１０６にサービスを提供する基地局１０２からの第１の距離１０８に対応する第１の非同期無線リンク品質閾値を有する第１のＲＬＭ（Ｒａｄｉｏ  Ｌｉｎｋ  Ｍｏｎｉｔｏｒｉｎｇ）設定でＲＬＭを実行するように、ユーザ機器（ＵＥ）装置１０６を設定するステップ３０２で始まる。第１のＲＬＭ設定はまた、第１の距離１０８よりも基地局１０２に近い第２の距離１１０に対応する第１の同期無線リンク品質閾値を有する。
【００４２】
ステップ３０４において、第１の無線リンク品質改善閾値および第１の無線リンク品質改善解除閾値が決定される。いくつかの場合では、基地局１０２は、第１の無線リンク品質改善閾値及び第１の無線リンク品質改善解除閾値をそれぞれ決定するために、第１及び第２のパラメータ値セットをＵＥ装置１０６に提供する。他の場合では、基地局１０２は、第１の無線リンク品質改善閾値を決定するための第１のパラメータ値セットをＵＥ装置１０６に提供し、ＵＥ装置１０６は、決定した第１の無線リンク品質改善閾値に基づいて、第１の無線リンク品質改善解除閾値を決定する。
【００４３】
さらに他の場合では、ＵＥ装置１０６は、第１の同期無線リンク品質閾値に関連する第１のオフセットに基づいて、第１の無線リンク品質改善閾値を決定する。ＵＥ装置１０６はまた、第１の非同期無線リンク品質閾値に関連する第２のオフセットに基づいて、第１の無線リンク品質改善解除閾値を決定する。いくつかの場合では、第１及び第２のオフセットは、ＢＬＥＲ（Ｂｌｏｃｋ  Ｅｒｒｏｒ  Ｒａｔｅ）値又は無線リンクレベルに基づく。
【００４４】
ステップ３０６において、基地局１０２は、第１のＣＥ（Ｃｏｖｅｒａｇｅ  Ｅｎｈａｎｃｅｍｅｎｔ）レベルに対応する第１のＣＥ設定でＲＬＭを実行するようにＵＥ装置１０６を設定する。ＲＬＭ設定は、基地局１０２からの第３の距離１１２に対応する第１の無線リンク品質改善閾値を有する。第３の距離１１２は、第２の距離１１０よりも基地局１０２に近い。ＲＬＭ設定はまた、基地局１０２からの第４の距離１１４に対応する第１の無線リンク品質改善解除閾値も有する。第４の距離１１４は、第３の距離１１２よりも基地局１０２から遠く、第１の距離１０８よりも基地局１０２に近くに位置する。
【００４５】
ステップ３０８において、ＵＥ装置１０６は、無線リンク品質改善イベントが発生したことを判定する。いくつかの場合では、無線リンク品質改善イベントが発生したと判定することは、1つ以上の無線リンク品質改善イベントが発生したと判定することを含む。無線リンク品質改善イベントは、ＵＥ装置１０６で受信される信号の品質測定値が第１の無線リンク品質改善閾値より大きい場合に発生する。
【００４６】
ステップ３１０において、ＵＥ装置１０６はＣＥ再設定を要求する。ステップ３１２において、基地局１０２は、第１のＣＥレベルよりも低い第２のＣＥレベルを有する第２のＣＥ設定でＵＥ装置１０６を再設定し、第２のＣＥ設定に関連付けられる第２のＲＬＭ設定でＵＥ装置１０６を再設定する。
【００４７】
明らかに、本発明の他の実施形態及び変更は、当業者がこれらの教示を考慮して容易に思いつくであろう。上記の説明は例示であり、限定的なものではない。本発明は、上記の明細書及び添付の図面と併せて見たときに全てのそのような実施形態及び変更を含む、以下の特許請求の範囲によってのみ限定される。そのため、本発明の範囲は、上記の説明に照らして決定すべきでなく、その代わりに、添付の特許請求の範囲の均等物の全範囲とともに、添付の特許請求の範囲に照らして決定されるべきである。
【図１】
0006929382.tif 000002
【図２Ａ】
0006929382.tif 000003
【図２Ｂ】
0006929382.tif 000004
【図３】
0006929382.tif 000005